(57)【要約】      （修正有）【課題】バスタオルや手拭の中間を物干しに掛けて、左の端と右の端を合せないで、向かい合わせに挟む事が出来る洗濯バサミを提供する。【解決手段】金属製の洗濯バサミ本体の、中間Ａ体と上部Ｂ体の挟み部と中間Ａ体と下部Ｃ体の挟み部を、２個たがい違いに連結して一体化した。また、各先端部３、３−１、４、４−１に横長凸部を設け、指で握ったとき鋭角になっても指が外れ辛い構造にした。【選択図】図１
0003199203.tif 000002
【実用新案登録請求の範囲】
【請求項１】
素材を金属製の洗濯バサミ本体（１）を横に倒した状態で平面から見て、中間をＡ体、上部をＢ体、下部をＣ体として、Ｂ体の一方の先端（３）と、Ｂ体の他方の先端（３−１）と、Ｃ体の一方の先端（４）と、Ｃ体の他方の先端（４−１）の４箇所は、反り返った形状にして、Ｂ体及びＣ体を側面から見て、Ｂ体の一方の先端（３）にＢ体の一方の先端滑り止めの窪み（３−３）を設け、窪みの中心部にはＢ体の一方の先端の滑り止め複数の横長凸部（３−６）を設け、Ｂ体の他方の先端（３−１）には、Ｂ体の他方の先端滑り止めの窪み（３−４）と、窪みの中心部には、Ｂ体の他方の先端の滑り止め複数の横長凸部（３−７）と、吊り下げる穴（３−５）を設け、窪みと窪みの中間には、Ｂ体の縦長膨らみ（３−２）を設け、Ｃ体の一方の先端（４）に、Ｃ体の一方の先端滑り止めの窪み（４−３）を設け、中心部には、Ｃ体の一方の先端の滑り止め複数の横長凸部（４−６）と、吊り下げる穴（４−５）と、窪みと窪み中間にはＣ体の縦長膨らみ（４−２）を設け、またＣ体の他方の先端（４−１）には、Ｃ体の他方の先端滑り止めの窪み（４−４）と、その中心部には、Ｃ体の他方の先端の滑り止め複数の横長凸部（４−７）を設け、窪みと窪みの中間には、Ｃ体の縦長膨らみ（４−２）を設け、Ａ体、Ｂ体、Ｃ体は、Ａ体を中に挟んで洗濯バサミとして組み立て、Ｂ体の中間から、Ａ体にスプリング（２−６）を入れ、Ａ体とＢ体の連結するピン（２−２）を通して固定し、Ｃ体とＡ体も同様に、Ｃ体に、Ａ体とＣ体のスプリング（２−７）を入れ、Ａ体とＣ体の連結するビン（２−３）を通して固定した向かい合わせに挟める洗濯バサミ。
【請求項２】
素材は、金属製を合成樹脂又は、木製に変えて製造する事が出来る請求項１記載の洗濯バサミ。
【考案の詳細な説明】
【技術分野】
【０００１】
バスタオルや手拭の中間を物干しに掛けて、左の端と右の端を合せないで、向かい合わせに挟む事が出来る洗濯バサミに関する。
【背景技術】
【０００２】
従来、洗濯バサミは洗濯物を干す時は、両方の先端を重ねて挟む事が出来るが、本考案は一方の先端と他方の先端を重ねないで、向かい合わせに挟む事ができる。
特許文献１、特開２００７−１１１４５６号公報（両方向挟める洗濯バサミ）が、開示されている。  
【先行技術文献】
【特許文献】
【０００３】
【特許文献１】特開２００７−１１１４５６号公報
【考案の概要】
【考案が解決しようとする課題】
【０００４】
洗濯ものを干すとき、タオルなら物干しに中間部を載せて下方に両端を下げて、両先端を同じ方向に向けて洗濯バサミで挟んでいた。
また、手拭きにする時は、ただ横棒にかけて両端を下に垂らすしか方法がない。
厚手の物で特に小さい物は洗濯しても、２枚一緒に洗濯バサミで挟む事が出来ない場合が多くある。
両端を重ねないで、使用する洗濯バサミがなく不便であり解決しなければならない課題である。本発明はこの問題を解決するためになされたものである。
【課題を解決するための手段】
【０００５】
課題を解決する手段として以下の構成とした。
素材を金属製の洗濯バサミ本体（１）を横に倒した状態で平面から見て、中間をＡ体、上部をＢ体、下部をＣ体として、Ｂ体の一方の先端（３）と、Ｂ体の他方の先端（３−１）と、Ｃ体の一方の先端（４）と、Ｃ体の他方の先端（４−１）の４箇所は、それぞれ親指と人差し指で握った時に滑らないように反り返った形状にした。（図１）
【０００６】
Ｂ体及びＣ体を側面から見て、Ｂ体の一方の先端（３）に、Ｂ体の一方の先端滑り止めの窪み（３−３）を設け、窪みの中心部にはＢ体の一方の先端の滑り止め複数の横長凸部（３−６）を設けた。
また、Ｂ体の他方の先端（３−１）には、Ｂ体の他方の先端滑り止めの窪み（３−４）と窪みの中心部には、Ｂ体の他方の先端の滑り止め複数の横長凸部（３−７）と吊り下げる穴（３−５）と、窪みと窪みの中間には、Ｂ体の縦長膨らみ（３−２）を設けた。（図１、図２「Ｂ」）
【０００７】
Ｃ体の一方の先端（４）に、Ｃ体の一方の先端滑り止めの窪み（４−３）を設け、中心部には、Ｃ体の一方の先端の滑り止め複数の横長凸部（４−６）と、吊り下げる穴（４−５）と、窪みと窪み中間にはＣ体の縦長膨らみ（４−２）を設けた。
また、Ｃ体の他方の先端（４−１）には、Ｃ体の他方の先端滑り止めの窪み（４−４）と、その中心部には、Ｃ体の他方の先端の滑り止め複数の横長凸部（４−７）を設け、窪みと窪みの中間には、Ｃ体の縦長膨らみ（４−２）を設けた。（図２「Ｃ」）
【０００８】
Ａ体、Ｂ体、Ｃ体は、Ａ体を中に挟んで洗濯バサミとして組み立てる時、Ｂ体の中間から、Ａ体にスプリング（２−６）を入れ、Ａ体とＢ体の連結するピン（２−２）を通して固定した。
又、Ｃ体とＡ体も同様にＣ体にＡ体とＣ体のスプリング（２−７）を入れ、Ａ体とＣ体の連結するビン（２−３）を入れて固定した。（図３）
【考案の効果】
【０００９】
１  洗濯物や、タオルは物干しにかけてタオルの一方の先端と他方の先端を重ねないで向かい合せに挟む事が出来る。
２  タオルとして、円形状にかけて手拭きとして使用することが容易である。（図４）
３  厚もので小さな洗濯ものは、両端を揃えて挟めないが、一方の先端と、他方の先端を別々に重ねないで向かい合わせにして、洗濯バサミで挟んで干す事は極めて便利である。（図５）
４  親指と人差し指で強く握って、鋭角になっても、滑り止めの複数の横長凸部を付けた為洗濯バサミは指から外れ辛い。
【図面の簡単な説明】
【００１０】
【図１】本発明の洗濯バサミを横にした状態の平面図
【図２】「Ｂ体」側面から見た説明図、「Ｃ体」側面から見た説明図
【図３】（１）Ａ体とＢ体の他方の先端の中間から見たスプリング設置説明図（２）Ａ体とＣ体の他方の先端の中間から見たスプリング設置説明図
【図４】タオルを手拭きとして使用している説明図
【図５】物干しに厚手の小さな洗濯ものを掛けた説明図
【図６】Ｂ体の他方の先端とＣ体の他方の先端を握った説明図
【考案を実施するための形態】
【００１１】
以下，本考案を実施するための最良の形態について説明する。
本考案の最大の長所は、１個の洗濯バサミで、両先端を重ねないで向かい合わせに挟む事が出来る事である。
また、洗濯バサミを指で強く握ると鋭角になるため、指が滑らないように窪みや複数個の横長凸部を設けて滑り辛くした事である。
もう一つの重要箇所として、Ｂ体の一方の先端（３）と、Ｂ体の他方の先端（３−１）と、Ｃ体の一方の先端（４）と、Ｃ体の他方の先端（４−１）の４箇所は、それぞれ親指と人差し指で握った時に滑って、洗濯バサミが落下しないように反り返った形状にした。（図１）
【００１２】
素材を金属製の洗濯バサミ本体（１）を横に倒した状態で平面から見て、中間をＡ体、上部をＢ体、下部をＣ体として、Ｂ体の一方の先端滑り止めの窪み（３−３）とＢ体の他方の先端滑り止めの窪み（３−４）として、両先端を反り返った形状にして、又、指が滑らないように、一方の先端の複数個の横長凸部（３−６）を設けた。（図２「Ｂ」）
親指と人差し指で強く握ると鋭角になる為に、指が滑って洗濯バサミが滑って外れ易いため、複数個の横長凸部（３−６）を設け、Ｂ体の他方の先端（３−１）も滑らない構造にした。中間は縦長膨らみ（４−２）を設けた。（図１・図２「Ｂ」）
【００１３】
Ｃ体の一方の先端滑り止めの窪み（４−３）と、Ｃ体の他方の先端滑り止めの窪み（４−４）として、両先端を反り返った形状にして、握った時指が滑り辛いようにした。（図１・図２）
また、Ｃ体はそれぞれ側面から見ると、Ｃ体の一方の先端（４）、他方の先端（４−１）と、両方とも指が滑らないように窪みとして、又Ｃ体の一方の先端の複数個の横長凸部（４−６）を設け、Ｃ体の他方の先端（４−７）にも同様にした。
中間はＣ体の縦長膨らみ（４−２）とした。
【００１４】
Ｂ体を上にして、Ｃ体を下にして、中間にＡ体を挟んで洗濯バサミとして組み立てるとき、Ｂ体の中間からＡ体に、スプリング（２−６）を入れ、Ａ体とＢ体の連結するピン（２−２）を通して固定した。また、Ｃ体とＡ体も同様にして固定した。
又、Ｂ体の一方の先端（３）とＡ体の一方の先端（２）の中間には、Ａ体とＢ体の挟み部（２−４）があり、Ａ体の他方の先端（２−１）と、Ｃ体の他方の先端（４−１）の中間にはＡ体とＣ体の挟み部（２−５）を設けて、洗濯ものが風で飛ばないようにそれぞれ上下に合成樹脂を接着させ挟み具合を強固にした。
本発明の洗濯バサミを軽い合成樹脂製のものとすれば、Ｂ体の他方の先端（３−１）とＣ体の他方の先端（４−１）を強く握ると、Ａ体の一方の先端（２）とＢ体の一方の先端（３）は開き、この間にタオルの一方の端を入れ、手を放すとＡ体とＢ体のスプリング（２−６）の力でＡ体とＢ体の挟み部（２−４）は閉じてタオルを挟むことができる。
同様にＢ体の一方の先端（３）とＣ体の一方の先端（４）を強く握ると、Ａ体の他方の先端（２−１）とＣ体の他方の先端（４−１）は開き、この間にタオルの他方の端を入れ、手を放すとＡ体とＣ体のスプリング（２−７）は閉じてタオルの他方の端を挟むことができる。一枚のタオルを棒に掛け、本発明の洗濯バサミでタオルの両端を挟めば、タオルは輪の形となり、手拭として使うときは汚れた場所をずらして、きれいな場所で手を拭くことが出来る。
【００１５】
洗濯もの、手拭きにするもの、様々な大きさと厚さがあるが、特に厚くて小さな物は、２枚合せて洗濯バサミで挟む事が出来ない。
この様な場合は、本発明の洗濯バサミを使用する事は最適である。（図５）
それは、１個の洗濯バサミで両先端を向かい合わせに挟む事が出来るからである。
布団を干す時も、本発明の洗濯バサミの強固なものを用い輪の形で干せば、日光に当たった部分を回して、当たっていない部分を日光に当てることが出来、何回も掛けかえる必要が省けて便利である。
【００１６】
Ｂ体の一方の先端（３）と、Ｂ体の他方の先端（３−１）と、Ｃ体の一方の先端（４）と、Ｃ体の他方の先端（４−１）の４箇所は、それぞれ親指と人差し指で握った時に滑って、洗濯バサミが落下しないように反り返った形状にした。（図１）
又、洗濯バサミの素材は、金属製を合成樹脂又は、木製に変えて製作できる構造にした。
本発明の素材を軽い合成樹脂製のものとすれば、２枚の書類を並べて繋げて使用することが出来、書類の続きを見るのに便利である。
【符号の説明】
【００１７】
１      洗濯バサミ本体
Ａ体    
２      Ａ体の一方の先端
２−１  Ａ体の他方の先端
２−２  Ａ体とＢ体の連結するピン
２−３  Ａ体とＣ体の連結するビン
２−４  Ａ体とＢ体の挟み部
２−５  Ａ体とＣ体の挟み部
２−６  Ａ体とＢ体のスプリング
２−７  Ａ体とＣ体のスプリング
Ｂ体      
３      Ｂ体の一方の先端
３−１  Ｂ体の他方の先端
３−２  Ｂ体の縦長膨らみ
３−３  Ｂ体の一方の先端滑り止めの窪み
３−４  Ｂ体の他方の先端滑り止めの窪み
３−５  吊り下げる穴
３−６  Ｂ体の一方の先端の滑り止め複数の横長凸部
３−７  Ｂ体の他方の先端の滑り止め複数の横長凸部
Ｃ体
４      Ｃ体の一方の先端
４−１  Ｃ体の他方の先端
４−２  Ｃ体の縦長膨らみ
４−３  Ｃ体の一方の先端滑り止めの窪み
４−４  Ｃ体の他方の先端滑り止めの窪み
４−５  吊り下げる穴
４−６   Ｃ体の一方の先端の滑り止め複数の横長凸部
４−７   Ｃ体の他方の先端の滑り止め複数の横長凸部
その他
５      タオル
６      厚手の干し物
７      干し物掛け
【図１】
0003199203.tif 000003
【図２】
0003199203.tif 000004
【図３】
0003199203.tif 000005
【図４】
0003199203.tif 000006
【図５】
0003199203.tif 000007
【図６】
0003199203.tif 000008